(57)【要約】【課題】アンテナ駆動軸を貫通させる導波管の貫通孔からの電波漏洩を低減すること。【解決手段】導波管４の貫通孔１０のフランジ１１と、導波管カバー５の貫通孔１２のフランジ１３とを備え、双方のフランジ先端を接触させることにより、導波管４の貫通孔１０部のフランジ高さが略２倍に高くなるので、貫通孔から漏れる電波が充分に遮断される。【選択図】図１
2006309949.tif 000002
【特許請求の範囲】
【請求項１】
被加熱物を収容する加熱室と、前記加熱室へ高周波エネルギーを供給する高周波発振器と、前記高周波発振器で発振された電波を加熱室へ伝送する導波管と、前記導波管と加熱室を高周波的に結合する回転アンテナと、前記回転アンテナに連結したアンテナ駆動軸と、前記アンテナ駆動軸を貫通させる導波管の貫通孔と、前記導波管の貫通孔を覆う導波管カバーと、前記アンテナ駆動軸を貫通させる導波管カバーの貫通孔とを備え、前記導波管の貫通孔と導波管カバーの貫通孔は、それぞれバーリング加工により突出した円筒形のフランジを備え、双方のフランジ同士を接触させる構成とした高周波加熱装置。
【請求項２】
導波管カバーの貫通孔のフランジは、先端の内壁面を導波管の貫通孔のフランジの外壁面に接触させる構成とした請求項１に記載の高周波加熱装置。
【請求項３】
導波管カバーは、側壁にスリットをほぼ等間隔に設ける構成とした請求項１または２に記載の高周波加熱装置。
【請求項４】
導波管カバーは、側壁に矩形孔をほぼ等間隔に設ける構成とした請求項１または２に記載の高周波加熱装置。
【発明の詳細な説明】
【技術分野】
【０００１】
本発明は回転アンテナにより加熱室へ高周波を放射する高周波加熱装置に関するものである。
【背景技術】
【０００２】
従来、この種の高周波加熱装置は、高周波発信器からの高周波エネルギーを導波管により伝送し、回転アンテナにより導波管と加熱室を高周波的に結合し、高周波エネルギーを加熱室に供給している（例えば、特許文献１参照）。
【０００３】
図６は、特許文献１に記載された従来の高周波加熱装置を示すものである。図６に示すように、高周波加熱装置１は、加熱室２と、高周波発振器３と、導波管４と、回転アンテナ７と、アンテナ駆動軸８と、駆動モータ９から構成されている。
【特許文献１】特公昭６２−４１３８６号公報
【発明の開示】
【発明が解決しようとする課題】
【０００４】
しかしながら、前記従来の構成ではアンテナ駆動軸８の近傍は電界が強いので、アンテナ駆動軸８を貫通させる導波管４の貫通孔４ａからは電波が漏れ易く、その漏洩電波により高周波加熱装置内部の電子制御装置を誤動作させる場合があるという課題を有していた。
【０００５】
また、貫通孔４ａからの漏洩電波を少なくする為に貫通孔４ａを小さくした場合には、アンテナ駆動軸８が細くなるので、輸送時や組み立て作業中にアンテナ駆動軸８が変形したり、あるいは動作中の高周波電界による発熱によりアンテナ駆動軸８が変形することがあるという課題を有していた。
【０００６】
さらに、アンテナ駆動軸８が細ければ軸受部６でのラジアル方向の調心作用が低下すると共に、アンテナ駆動軸８と回転アンテナ７の同軸度が低下する結果、回転アンテナ７の自重によりアンテナ駆動軸８および回転アンテナ７が傾き、加熱分布性能が低下するという課題を有していた。
【０００７】
本発明は、前記従来の課題を解決するもので、導波管の貫通孔の径を大きくした場合でも、貫通孔からの漏洩電波を低減した高周波加熱装置を提供することを目的とする。
【課題を解決するための手段】
【０００８】
前記従来の課題を解決するために、本発明の高周波加熱装置は、高周波発振器で発振された電波を加熱室へ伝送する導波管と、この導波管と加熱室を高周波的に結合する回転アンテナと、回転アンテナに連結したアンテナ駆動軸と、アンテナ駆動軸を貫通させる導波管の貫通孔と、導波管の貫通孔を覆う導波管カバーと、アンテナ駆動軸を貫通させる導波管カバーの貫通孔とを備え、前記導波管の貫通孔と導波管カバーの貫通孔は、それぞれバーリング加工による突出した円筒形のフランジを備え、双方のフランジ同士の先端を接触させる構成としたものである。
【０００９】
これによって、導波管の貫通孔は、実質的にフランジが略２倍に高くなるので、貫通孔の直径を大きくしても、貫通孔からの電波漏洩を大きく低減できることとなる。
【発明の効果】
【００１０】
本発明の高周波加熱装置は、前記導波管の貫通孔の径が大きくなっても、貫通孔からの電波漏洩を低減することができる。
【発明を実施するための最良の形態】
【００１１】
第１の発明は、被加熱物を収容する加熱室と、前記加熱室へ高周波エネルギーを供給する高周波発振器と、前記高周波発振器で発振された電波を加熱室へ伝送する導波管と、前記導波管と加熱室を高周波的に結合する回転アンテナと、前記回転アンテナに連結したアンテナ駆動軸と、前記アンテナ駆動軸を貫通させる導波管の貫通孔と、前記導波管の貫通孔を覆う導波管カバーと、前記アンテナ駆動軸を貫通させる導波管カバーの貫通孔とを備え、前記導波管の貫通孔と導波管カバーの貫通孔は、それぞれバーリング加工により突出した円筒形のフランジを備え、双方のフランジ同士を接触させる構成としたもので、、導波管の貫通孔のフランジ高さが略２倍に高くなるので、導波管の貫通孔の径が大きくなっても貫通孔からの電波漏洩を大きく低減することができる。そのため、貫通孔からの漏洩電波を少なくする為に貫通孔を小さくする必要がなくなり、アンテナ駆動軸を太くできるので、輸送時や組み立て作業中にアンテナ駆動軸が変形したり、あるいは動作中の高周波電界による発熱によりアンテナ駆動軸が変形する課題を解決できる。また、アンテナ駆動軸を太くできるので、軸受部でのラジアル方向の調心作用が向上すると共に、アンテナ駆動軸と回転アンテナの同軸度が向上する結果、回転アンテナの自重により回転アンテナ駆動軸および回転アンテナが傾くことがなく、加熱分布性能の低下を防ぐことができる。
【００１２】
第２の発明は、特に、第１の発明の高周波加熱装置を、導波管カバーの貫通孔のフランジは、先端の内壁面を導波管の貫通孔のフランジの外壁面に接触させる構成としたことにより、それぞれのフランジ高さが多少不均一に加工された場合でも、確実にフランジどうしを結合でき、導波管の貫通孔部のフランジ高さを略２倍に高くできるので、貫通孔からの電波漏洩を確実に低減することができる。
【００１３】
第３の発明は、特に、第１または第２の発明の高周波加熱装置を、導波管カバーは、側壁にスリットをほぼ等間隔に設けることにより、等間隔に設けられたスリットによるスリットシール作用が生じる結果、貫通孔のフランジ先端からのわずかな漏洩電波についても減衰することができる。
【００１４】
第４の発明は、特に、第１または２の発明の高周波加熱装置を、導波管カバーは、側壁に矩形孔をほぼ等間隔に設けることにより、貫通孔のフランジ先端からのわずかな漏洩電波により導波管カバーの側壁を流れる電流を遮断する作用が生じる結果、貫通孔のフランジ先端からのわずかな漏洩電波についても減衰することができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における高周波加熱装置の要部の断面図を示すものである。
【００１７】
図１において、アンテナ駆動軸８を貫通させる導波管４の貫通孔１０のフランジ１１は、バーリング加工により円筒形に突出したものであり、アンテナ駆動軸８を貫通させる導波管カバー５の貫通孔１２の円筒形に突出したフランジ１３と先端を接触させており、高周波的には連続した円筒形フランジを構成している。
【００１８】
以上のように構成された高周波加熱装置について、以下その動作、作用を説明する。
【００１９】
まず、アンテナ駆動軸８の近傍は電界が強いので、アンテナ駆動軸８が電波を励振して導波管４の外部に電波が放出することの無いように、アンテナ駆動軸８は誘電体で構成されることが多い。一方、誘電体部分には電気力線が集中しやすいので、導波管４の貫通孔１０部はさらに電界が強くなる。そのため、貫通孔１０からは、理論的な円筒形導波管の遮断波長よりはるかに小さな孔であっても電波が漏れ出てくることが一般的であるが、ここで、導波管４の貫通孔１０のフランジ１１と、導波管カバー５の貫通孔１２のフランジ１３双方のフランジ先端を接触させることにより、導波管４の貫通孔１０部のフランジ高さは高周波的には連続した円筒形フランジを構成して略２倍に高くなる。
【００２０】
以上のように、本実施の形態においては、アンテナ駆動軸８を貫通させる導波管４の貫通孔１０のフランジ１１と、アンテナ駆動軸８を貫通させる導波管カバー５の貫通孔１２のフランジ１３双方のフランジ先端を接触させることにより、導波管４の貫通孔１０部のフランジ高さは高周波的には連続した円筒形フランジを構成することにより、片方にバーリング加工によりフランジを設けるよりも、略２倍に高くなるので、電波が充分に遮断されることとなる。本実施の形態において、直径１０ｍｍの開口を持つ導波管４の貫通孔１０の場合、フランジの高さが３ｍｍから６ｍｍに高くなると約１０ｄＢ遮断特性を向上することができる。
【００２１】
また、本実施の形態では、導波管４の貫通孔１０のフランジ１１の先端面と、導波管カバー５の貫通孔１２のフランジ１３のフランジ先端面をフライス加工や研磨加工等により平滑面とすることで確実にフランジどうしが接触されるので、電波の遮断性能をさらに向上することができる。
【００２２】
図５は、本発明の第１の実施の形態における高周波加熱装置の要部の断面図における高周波の電界の様子を示すものである。
【００２３】
（実施の形態２）
図２は、本発明の第２の実施の形態の高周波加熱装置の要部の断面図である。
【００２４】
導波管カバー５の貫通孔１２のフランジ１３の先端の内壁面を、導波管４の貫通孔１０のフランジ１１の先端の外壁面に接触させる構成としたことにより、フランジ１１とフランジ１３のそれぞれのフランジ高さが多少不均一に加工された場合でも、確実にフランジどうしが高周波的に結合され、導波管４の貫通孔１０部のフランジ高さは略２倍に高くなるので、電波を効果的に遮断することができる。
【００２５】
また、本実施の形態とは逆に導波管カバー５の貫通孔１２のフランジ１３は、先端の外壁面に、導波管４の貫通孔１０のフランジ１１の先端の内壁面を接触させる構成としたことによってもフランジ同士が高周波的に結合され、導波管４の貫通孔１０部のフランジ高さは略２倍に高くなるので、電波を効果的に遮断することもできる。
【００２６】
（実施の形態３）
図３は、本発明の第３の実施の形態の高周波加熱装置の要部の斜視図である。
【００２７】
アンテナ駆動軸８を貫通させる導波管カバーの側壁にスリットを等間隔に設けることにより、周期的に設けられたスリットによるスリットシール作用が生じる結果、貫通孔のフランジ先端から導波管カバー内部へ放出されたわずかな漏洩電波についても減衰することができる。
【００２８】
（実施の形態４）
図４は、本発明の第４の実施の形態の高周波加熱装置の要部の斜視図である。
【００２９】
導波管カバーの側壁に矩形孔を周期的に設けることにより、貫通孔のフランジ先端からのわずかな漏洩電波により導波管カバーの側壁を流れる電流を遮断する作用が生じる結果、貫通孔のフランジ先端から導波管カバー内部へ放出わずかな漏洩された電波についても減衰することができる。
【産業上の利用可能性】
【００３０】
以上のように、本発明にかかる高周波加熱装置は、アンテナ駆動軸を貫通させる導波管の貫通孔からの電波漏洩を低減することが可能となるので、均一加熱を目的として採用されている、被加熱物を載せて回転させるターンテーブルの軸受け部分の電波漏洩防止等の用途にも適用できる。
【図面の簡単な説明】
【００３１】
【図１】本発明の実施の形態１における高周波加熱装置の要部断面図
【図２】本発明の実施の形態２における高周波加熱装置の要部断面図
【図３】本発明の実施の形態３の高周波加熱装置を示す要部斜視図
【図４】本発明の実施の形態３の高周波加熱装置を示す要部斜視図
【図５】本発明の高周波加熱装置の高周波の電界を示す要部模式図
【図６】従来の高周波加熱装置の高周波加熱装置の縦断面図
【符号の説明】
【００３２】
４  導波管
５  導波管カバー
８  アンテナ駆動軸
１０  導波管の貫通孔
１１  導波管の貫通孔のフランジ
１２  導波管カバーの貫通孔
１３  導波管カバーの貫通孔のフランジ
１５  スリット
１６  矩形孔
【図１】
2006309949.tif 000003
【図２】
2006309949.tif 000004
【図３】
2006309949.tif 000005
【図４】
2006309949.tif 000006
【図５】
2006309949.tif 000007
【図６】
2006309949.tif 000008